(57)【要約】【課題】バックルを介して連結させ合わされる帯状体に、このバックルによって各種の物品をその物品を使いやすい向きに回動可能とした状態で適切に支持させることができるようにする。【解決手段】バックルを、バックル主体１と、各種の物品を保持する保持部材２とを備えており、バックル主体１に対し保持部材２を回動可能で、かつ、取り外し可能に備えさせてなるものとした。保持部材２に雄部分４が備えられ、バックル主体１に、この雄部分４が回動可能に組み付け合わされる雌部分３が備えられている。【選択図】図２０
2006026207.tif 000002
【特許請求の範囲】
【請求項１】
バックル主体と、
各種の物品を保持する保持部材とを備えており、
バックル主体に対し保持部材を回動可能で、かつ、取り外し可能に備えさせてなることを特徴とするバックル。
【請求項２】
バックル主体と、
帯状物、紐状物、線状物、棒状物、管状物などの長さを持った物品を保持する保持部材とを備えており、
バックル主体に対し保持部材を回動可能で、かつ、取り外し可能に備えさせてなることを特徴とするバックル。
【請求項３】
バックル主体及び保持部材のいずれか一方に雌部分が備えられていると共に、これらの他方に雄部分が備えられており、
雄部分は、
頭部と首部とを有しており、
雌部分は、
雄部分の頭部の入れ込み開口に続く入れ込み空間と、
この入れ込み空間を形成する壁体の一つに形成されてこの入れ込み空間に連通すると共に、雄部分の首部を通し、かつ、頭部を通さない直径を持った仮想の円の円弧に沿った穴内周面を有する貫通穴と、
この貫通穴に連通して前記壁体の入れ込み開口側にある縁部に続き、かつ、この縁部において外方に開放された雄部分の首部の導入溝とを有しており、
この導入溝を弾性的に押し広げさせながら、雄部分の首部が前記貫通穴に入れ込まれ、かつ、入れ込み開口を通じて頭部が入れ込み空間内に入れ込まれるようにしてあることを特徴とする請求項１又は請求項２記載のバックル。
【請求項４】
保持部材が、長さを持った物品をその長さ方向に沿った一側部から、クランプ入り口を入れ込まれるこの長さを持った物品によって弾性的に押し広げさせながら、クランプ内部に受け入れて保持するクランプ状をなすように構成されていることを特徴とする請求項２又は請求項３記載のバックル。
【請求項５】
バックル主体が、サイドリリースバックルを構成する雄バックルと雌バックルとから構成されており、この雌バックルの外面に雄部分及び雌部分のいずれか一方が備えられていることを特徴とする請求項３又は請求項４記載のバックル。
【請求項６】
バックル主体が、中間クロスバーの両側に二カ所の帯状体の通し部を備えてなる帯状体の留め付け部を有していることを特徴とする請求項１〜請求項５のいずれか１項に記載のバックル。
【発明の詳細な説明】
【技術分野】
【０００１】
この発明は、帯状体を連結させ合わせるために用いられるバックルの改良に関する。
【背景技術】
【０００２】
バックルとなるベースと道具ホルダとから構成され、このベースに、リップと可撓性アームとを形成すると共に、道具ホルダにフランジを備えさせており、リップの下にフランジを挿入することで、このベースに道具ホルダを組み合わせ保持できるようにしたものとして特許文献１に示されるものがある。
【０００３】
しかるに、この特許文献１に示されるものにあっては、道具ホルダのフランジの外郭形状が多角形状をなすか、リップ内の内郭形状が多角形状をなしているため、ベースに組み合わせた状態において道具ホルダを回動させることはできない。すなわち、ベースに一旦道具ホルダを組み合わせた後は、再度それを取り外さない限り、道具ホルダのホルダ部分の向きを変えることができないものであった。
【特許文献１】特開２００２−１１２８１０号公報
【発明の開示】
【発明が解決しようとする課題】
【０００４】
この発明が解決しようとする主たる問題点は、バックルを介して連結させ合わされる帯状体に、このバックルによって各種の物品をその物品を使いやすい向きに回動可能とした状態で適切に支持させることができるようにする点にある。
【課題を解決するための手段】
【０００５】
前記問題点を解決するために、この発明にあっては、バックルを、
バックル主体と、
各種の物品を保持する保持部材とを備えており、
バックル主体に対し保持部材を回動可能で、かつ、取り外し可能に備えさせてなるものとした。
【０００６】
かかる構成によれば、バックル主体を介して連結させ合わされる帯状体に、各種の物品をその物品を使いやすい向きに回動可能とした状態で支持させることができる。また、物品の支持が必要ない場合には、保持部材をバックル主体から取り外してバックル主体のみで用いることもできる。
【０００７】
また、前記問題点を解決するために、この発明にあっては、バックルを、
バックル主体と、
帯状物、紐状物、線状物、棒状物、管状物などの長さを持った物品を保持する保持部材とを備えており、
バックル主体に対し保持部材を回動可能で、かつ、取り外し可能に備えさせてなるものとした。
【０００８】
かかる構成によれば、バックル主体を介して連結させ合わされる帯状体の延長方向に対しこれに沿った向きに長さを持った物品の延長方向が配されるようにした状態ばかりでなく、これに交叉する向きに長さを持った物品の延長方向が配されるようにした状態でも、無理なくこの長さを持った物品をバックル主体によって支持することができる。すなわち、この支持状態において長さを持った物品を使用などすべく長さを持った物品の中心線とバックル主体を介して連結させ合わされる帯状体の中心線とのなす角度が変わるように長さを持った物品を移動又は相対的に移動させようとする場合には、これに応じて保持部材を回動させることができ、こうした場合に支持された長さを持った物品に変形などを生じさせないようにすることができる。長さを持った物品の支持が必要ない場合には、保持部材をバックル主体から取り外してバックル主体のみで用いることもできる。
【０００９】
前記バックル主体及び保持部材のいずれか一方に雌部分が備えられていると共に、これらの他方に雄部分が備えられており、
雄部分は、
頭部と首部とを有しており、
雌部分は、
雄部分の頭部の入れ込み開口に続く入れ込み空間と、
この入れ込み空間を形成する壁体の一つに形成されてこの入れ込み空間に連通すると共に、雄部分の首部を通し、かつ、頭部を通さない直径を持った仮想の円の円弧に沿った穴内周面を有する貫通穴と、
この貫通穴に連通して前記壁体の入れ込み開口側にある縁部に続き、かつ、この縁部において外方に開放された雄部分の首部の導入溝とを有しており、
この導入溝を弾性的に押し広げさせながら、雄部分の首部が前記貫通穴に入れ込まれ、かつ、入れ込み開口を通じて頭部が入れ込み空間内に入れ込まれるようにしておくこともある。
【００１０】
かかる構成によれば、帯状体を連結させ合わせたバックル主体に対し、保持部材を回動可能で、かつ、取り外し可能に適切に組み合わせることができ、使用のための物品の向きの変更を保持部材の回動によって自由度高く許容させることができる。すなわち、雌部分の入れ込み空間内に雄部分の頭部を入れ込ませることで、この頭部が入れ込み空間内から簡単には抜け出さないようにして、雌部分と雄部分とを組み合わせることができる。雌部分の貫通穴は前記穴内周面を有していることから、この貫通穴を軸穴とするようにして、雄部分は円滑に回動される。各種物品をバックル主体に支持させる必要がない場合には、導入溝を弾性的に押し広げ出させながら、貫通穴内にあった雄部分の首部をこの導入溝を通じて抜き出させるようにすることで、入れ込み空間から頭部を抜き出させて、バックル主体と保持部材とをワンタッチで分離させることができる。
【００１１】
前記保持部材を、長さを持った物品をその長さ方向に沿った一側部から、クランプ入り口を入れ込まれるこの長さを持った物品によって弾性的に押し広げさせながら、クランプ内部に受け入れて保持するクランプ状をなすように構成させておくこともある。
【００１２】
かかる構成によれば、チューブやパイプなどの長さを持った物品を保持部材にワンタッチで適切に保持させることができると共に、このように保持された長さを持った物品の使用のための向きの変更を保持部材を回動させることにより自由度高く許容させることができる。
【００１３】
前記バックル主体が、サイドリリースバックルを構成する雄バックルと雌バックルとから構成されており、この雌バックルの外面に雄部分及び雌部分のいずれか一方が備えられているようにしておくこともある。
【００１４】
かかる構成によれば、雄バックルと雌バックルとを連結させ合うことにより、雄バックルに接続された帯状体と雌バックルに接続された帯状体とを連結させ合わせることができると共に、このように雄バックルに連結された雌バックルに保持部材を介して各種物品を適切に保持させることができ、かつ、このように保持された物品の使用のための向きの変更を保持部材の回動により自由度高く許容させることができる。
【００１５】
前記バックル主体が、中間クロスバーの両側に二カ所の帯状体の通し部を備えてなる帯状体の留め付け部を有しているようにしておくこともある。
【００１６】
かかる構成によれば、バックル主体を介して連結される帯状体の少なくとも一方に対するバックルの装着位置を、このバックル主体の留め付け部によって、変更可能とした状態で、この帯状体の一方をバックル主体を介して他の帯状体と連結させ合わせることができると共に、このバックル主体に保持部材を介して各種物品を適切に保持させることができ、かつ、このように保持された物品の使用のための向きの変更を保持部材の回動により自由度高く許容させることができる。
【発明の効果】
【００１７】
この発明にかかるバックルによれば、このバックルを介して連結させ合わされる帯状体に、このバックルによって各種の物品をその物品を使いやすい向きに回動可能とした状態で適切に支持させることができる。
【発明を実施するための最良の形態】
【００１８】
以下、図１ないし図２５に基づいて、この発明を実施するための最良の形態について説明する。
【００１９】
なお、ここで図１ないし図７は、バックルを構成する保持部材２の一例をそれぞれ示しており、図８はかかる保持部材２の他の一例を、図９はさらに他の一例を、図２５は、さらに他の一例を、それぞれ示している。
【００２０】
また、図１０は、バックルを構成するバックル主体１の一例を、図１１ないし図１３は、かかるバックル主体１の他の一例を、図１４は、このバックル主体１の他の一例を構成する雌バックル１３を、図１５ないし図２１は、このバックル主体１の他の一例を構成する雌バックル１３に図１ないし図７に示される保持部材２を組み合わせた状態を、それぞれ示している。さらに、図２２ないし図２４は、バックル主体１のさらに他の一例を示している。
【００２１】
この実施の形態にかかるバックルは、帯状体Ｗを連結させ合わせるために用いられるものである。
【００２２】
典型的には、かかるバックルは、二本の帯状体Ｗ、Ｗをバックルを介して連結させ合わせるように用いられる。より具体的には、例えば、リュックサックに用いられる場合には、かかるバックルによってリュックサックに備え付けられる左右一対のウエストストラップやチェストストラップなどをバックルを介して分離可能に接続させ合わせたり、リュックサックの上部に上端を止め付けた背負いベルトを構成するパッド部の下端とリュックサックの下部に下端を止め付けた下部引き出しテープの上端とをバックルを介して留め付け位置調整可能に接続させ合わせたりするために用いられる。
【００２３】
かかるバックルは、帯状体Ｗを連結させ合わせるバックル主体１と、各種の物品を保持する保持部材２とを備えている。
【００２４】
図示の例にあっては、かかるバックルは、帯状物、紐状物、線状物、棒状物、管状物などの長さを持った物品を保持するのに適した構造を備えた保持部材２とを備えている。そして、かかるバックル主体１に対し保持部材２を回動可能で、かつ、取り外し可能に備えさせている。
【００２５】
かかる長さを持った物品としては、チューブ、パイプ、ロッド、コード、紐、ワイヤーなどが予定される。より具体的には、例えば、リュックサックに用いられる場合には、リュックサックを背負い込んだ者に飲料を供給するための飲料容器に接続されたストローのように機能するチューブをバックルの配設位置において支持したり、紐端に各種の物品を繋ぎ合わせたり留め付けたりするように構成された紐を引き出し可能で、かつ、巻き取り可能に納めるリール体をバックルの配設位置において支持したりすることが予定される。
【００２６】
かかる構成によれば、バックル主体１を介して連結させ合わされる帯状体Ｗに、各種の物品をその物品を使いやすい向きに回動可能とした状態で支持させることができる。また、物品の支持が必要ない場合には、保持部材２をバックル主体１から取り外してバックル主体１のみで用いることもできる。
【００２７】
特に、かかる物品が長さを持ったものである場合、バックル主体１を介して連結させ合わされる帯状体Ｗの延長方向に対しこれに沿った向きに長さを持った物品の延長方向が配されるようにした状態ばかりでなく、これに交叉する向きに長さを持った物品の延長方向が配されるようにした状態でも、無理なくこの長さを持った物品をバックル主体１によって支持することができる。すなわち、この支持状態において長さを持った物品を使用などすべく長さを持った物品の中心線とバックル主体１を介して連結させ合わされる帯状体Ｗの中心線とのなす角度が変わるように長さを持った物品を移動又は相対的に移動させようとする場合には、これに応じて保持部材２を回動させることができ、こうした場合に支持された長さを持った物品に変形などを生じさせないようにすることができる。長さを持った物品の支持が必要ない場合には、保持部材２をバックル主体１から取り外してバックル主体１のみで用いることもできる。
【００２８】
具体的には、この実施の形態にあっては、バックル主体１及び保持部材２のいずれか一方に雌部分３が備えられていると共に、これらの他方に雄部分４が備えられている。図示の例にあっては、保持部材２に雄部分４が備えられ、バックル主体１に雌部分３が備えられている。
【００２９】
雄部分４は、頭部４０と首部４１とを有している。
【００３０】
図示の例では、かかる雄部分４は、円板状をなす頭部４０と、この頭部４０の一面の略中央部に軸一端を一体に連接させると共に軸他端を保持部材２側に一体に連接させた円柱軸状をなす首部４１とから構成されている。また、図示の例にあっては、かかる首部４１の軸他端は、一面を保持部材２に一体に連接させた略正方形の板状をなすベース体４２の他面の略中央部に一体に連接されている。このベース体４２の向き合った一対の辺部の長さ方向略中程の位置には、このベース体４２の他面において、この他面から突き出す隆起部４３が形成されている。この隆起部４３はその突き出し端を緩やかに湾曲させている。
【００３１】
一方、雌部分３は、
（１）雄部分４の頭部４０の入れ込み開口３０に続く入れ込み空間３１と、
（２）この入れ込み空間３１を形成する壁体３２の一つに形成されてこの入れ込み空間３１に連通すると共に、雄部分４の首部４１を通し、かつ、頭部４０を通さない直径を持った仮想の円の円弧に沿った穴内周面を有する貫通穴３３と、
（３）この貫通穴３３に連通して前記壁体３２の入れ込み開口３０側にある縁部に続き、かつ、この縁部において外方に開放された雄部分４の首部４１の導入溝３４とを有している。
【００３２】
図示の例では、かかる雌部分３は、雄部分４のベース体４２の外郭形状に略倣った外郭形状を持った天板体３５を、その向き合った一対の辺部において、この辺部に一体に連接された支持板体３６によって、この天板体３５の内面下に前記入れ込み空間３１を形成させるように支持することで形成されている。そして、図示の例では、この天板体３５の略中央部に前記貫通穴３３が形成されている。また、この天板体３５における前記支持板体３６によって支持されていない残りの一対の辺部の一方側に前記入れ込み開口３０が形成されるようにしてある。そして、この残りの一対の辺部の一方の略中央と貫通穴３３との間に前記導入溝３４が形成されている。図示の例では、この導入溝３４の中央部の溝巾は雄部分４の首部４１の外径よりもやや小さくなるようにしてある。貫通穴３３の穴内周面が位置される前記仮想の円の直径はこの雄部分４の首部４１の外径と略等しくなっている。また、この導入溝３４の開放部、つまり、入り口においては、両溝壁が導入溝３４の中央部から離れるに従って次第にこの導入溝３４の溝巾を広げる向きに傾斜されており、この入り口から雄部分４の首部４１を導入溝３４内に入れ込み易くしてある。また、図示の例では、前記天板体３５における支持板体３６によって支持されている辺部の略中央部に、雄部分４のベース体４２に形成された隆起部４３が入り込む深さと巾とを備えた凹所３７が形成されている。
【００３３】
そして、この実施の形態にあっては、前記導入溝３４を弾性的に押し広げさせながら、雄部分４の首部４１が前記貫通穴３３に入れ込まれ、かつ、入れ込み開口３０を通じて頭部４０が入れ込み空間３１内に入れ込まれるようにしてある。
【００３４】
これにより、この実施の形態にあっては、帯状体Ｗを連結させ合わせたバックル主体１に対し、保持部材２を回動可能で、かつ、取り外し可能に適切に組み合わせることができ、使用のための長さを持った物品の向きの変更を保持部材２の回動によって自由度高く許容させることができる。すなわち、雌部分３の入れ込み空間３１内に雄部分４の頭部４０を入れ込ませることで、この頭部４０が入れ込み空間３１内から簡単には抜け出さないようにして、雌部分３と雄部分４とを組み合わせることができる。雌部分３の貫通穴３３は前記穴内周面を有していることから、この貫通穴３３を軸穴とするようにして、雄部分４は円滑に回動される。長さを持った物品をバックル主体１に支持させる必要がない場合には、導入溝３４を弾性的に押し広げ出させながら、貫通穴３３内にあった雄部分４の首部４１をこの導入溝３４を通じて抜き出させるようにすることで、入れ込み空間３１から頭部４０を抜き出させて、バックル主体１と保持部材２とをワンタッチで分離させることができる。
【００３５】
なお、図示の例にあっては、雄部分４のベース体４２に形成された一対の隆起部４３、４３が、雌部分３の天板体３５に形成された一対の凹所３７、３７にそれぞれ上方から入り込むように、このベース体４２の下面に天板体３５の外面が接した状態で雄部分４と雌部分３とが前記のように組み合わされるようになっていると共に、（図２１の実線断面の状態）この状態から、貫通穴３３を穴軸として雄部分４が回動又は相対的に回動されると、一対の隆起部４３、４３を凹所３７から抜け出させるようにベース体４２が弾性変形され隆起部４３が凹所３７から抜け出すと共に、一対の隆起部４３、４３の一方がこの凹所３７が形成されていない天板体３５の一対の辺部の側方に入り込み、かつ、一対の隆起部４３、４３の他方が導入溝３４の入り口に入り込む回動位置での弾性復帰により、この一対の隆起部４３、４３の一方の内面が凹所３７が形成されていない天板体３５の一対の辺部に面的に接触され、かつ、一対の隆起部４３、４３の他方が導入溝３４の入り口に納まるようになっている。（図２１の想像線断面の状態）この状態から、さらに雄部分４が回動又は相対的に回動されると、再びベース体４２が弾性変形され、一対の隆起部４３、４３が前記凹所３７に入り込む回動位置での弾性復帰により、一対の隆起部４３、４３はそれぞれ対応する凹所３７に入り込む。すなわち、この実施の形態にあっては、保持部材２を略９０度の正転又は逆転位置においてそれぞれ、仮留めできるようになっている。
【００３６】
図１ないし図９は、前記保持部材２が、長さを持った物品をその長さ方向に沿った一側部から、クランプ入り口２０を入れ込まれるこの長さを持った物品によって弾性的に押し広げさせながら、クランプ内部２１に受け入れて保持するクランプ状をなすように構成されている例を示している。
【００３７】
具体的には、図１ないし図７に示される例にあっては、保持部材２に雄部分４が一体に備えられていると共に、この雄部分４を構成するベース体４２の上面に、互いに向き合った側を湾曲内側とするように上端側を除く箇所を湾曲された一対のクランプ片２３、２３の下端を一体に連接させて長さを持った物品を前記のように保持可能な保持部材２を構成させている。一対のクランプ片２３、２３の上端２３ａ間は、保持されるべき長さを持った物品の径よりもやや狭くなるようにしてある。すなわち、この例にあっては、かかる一対のクランプ片２３、２３の湾曲箇所２３ｂ間が前記クランプ内部２１となり、その上端２３ａ間がクランプ入り口２０となっている。
【００３８】
また、図８に示される例にあっても、保持部材２に雄部分４が一体に備えられている。また、この例にあっては、この雄部分４を構成するベース体４２における隆起部４３が形成された両辺部からそれぞれ側方に突き出す基部片２４と、この基部片２４の突き出し端から上方に向けて突き出す支持片２５と、この支持片２５の突き出し端からこの支持片２５の内面との間に間隔を開けるようにして下方に延びるクランプ片２６とによって保持部材２を構成させている。このように設けられた一対のクランプ片２６、２６は、互いに向き合った側を湾曲内側とするように湾曲されている。また、クランプ片２６と支持片２５との連接箇所２６ａ間は、保持されるべき長さを持った物品の径よりもやや狭くなるようにしてある。すなわち、この例にあっては、かかる一対のクランプ片２６、２６の湾曲箇所２６ｂ間が前記クランプ内部２１となり、前記連接箇所２６ａ間がクランプ入り口２０となっている。
【００３９】
また、図９に示される例にあっても、保持部材２に雄部分４が一体に備えられている。また、この例にあっては、この雄部分４を構成するベース体４２における隆起部４３が形成された両辺部の一方から側方に突き出す基部片２７と、この両辺部の他方からこの両辺部の一方側に向けられた側を湾曲内側とするように湾曲状に立ち上がると共に、その湾曲終了位置となる箇所２８ａと基部片２７の上面との間の間隔を保持されるべき長さを持った物品の径よりもやや狭くしたクランプ片２８とによって保持部材２を構成させている。すなわち、この例にあっては、かかるクランプ片２８の湾曲箇所２８ｂの内方が前記クランプ内部２１となり、このクランプ片２８の湾曲終了位置となる箇所２８ａとその直下にある基部片２７の上面との間がクランプ入り口２０となっている。
【００４０】
これにより、この実施の形態にあっては、チューブやパイプなどの長さを持った物品を保持部材２にワンタッチで適切に保持させることができると共に、このように保持された長さを持った物品の使用のための向きの変更を保持部材２を回動させることにより自由度高く許容させることができる。
【００４１】
また、図１０に示される例にあっては、バックル主体１の両端部にそれぞれ帯状体Ｗの通し部１０が形成されていると共に、その中間部に前記雌部分３が備えられている。
【００４２】
また、図１１ないし図２１に示される例にあっては、バックル主体１が、サイドリリースバックルを構成する雄バックル１２と雌バックル１３とから構成されており、この雌バックル１３の外面に前記雌部分３が備えられている。
【００４３】
図示の例にあっては、雌バックル１３は筒一端を雄バックル１２の脚部１２１を内部に導入できるように開放させた扁平筒状をなすように構成されている。この脚部１２１の導入方向に沿った雌バックル１３の巾狭の両側部にはそれぞれ窓穴１３１が形成されている。また、雌バックル１３の筒他端側には、帯状体Ｗの通し部１０が形成されている。一方、雄バックル１２は、二カ所の帯状体Ｗの通し部１０、１０を平行に備えた基部１２２と、この基部１２２に一端を一体に連接させてこの基部１２２から同じ向きに突き出す一対の脚部１２１、１２１を有している。この一対の脚部１２１、１２１における他方の脚部１２１に向き合わない側には掛合用隆起部１２３が形成されている。そして、図示の例にあっては、雌バックル１３内に雄バックル１２の一対の脚部１２１、１２１を入れ込むことに伴ってこの一対の脚部１２１、１２１の掛合用隆起部１２３が雌バックル１３の前記巾狭の両側部の内面によって一旦内向きに撓み込まされた後、この掛合用隆起部１２３が前記窓穴１３１に入り込める雄バックル１２の差し込み位置における弾性復帰によって一対の脚部１２１、１２１のこの掛合用隆起部１２３がそれぞれ、雌バックル１３の対応する窓穴１３１に入り込み、これにより、雄バックル１２の通し部１０に通された帯状体Ｗと雌バックル１３の通し部１０に通された帯状体Ｗとをバックルを介して接続させ合わせることができるようになっている。雄バックル１２の基部１２２は、二カ所の帯状体Ｗの通し部１０、１０によって、中間クロスバー１２４とエンドクロスバー１２５とを有するようになっており、帯状体Ｗを雄バックル１２の裏面側から中間クロスバー１２４に掛け回して雄バックル１２の表側に引き出した後、この引き出し部をエンドクロスバー１２５の裏面を通して再び雄バックル１２の側方に引き出すことにより、帯状体Ｗにテンションが作用される限り、中間クロスバー１２４とエンドクロスバー１２５との間にある通し部１０に面した中間クロスバー１２４の一部とエンドクロスバー１２５の一部とがこの帯状体Ｗに対して強く突き立てられて、この帯状体Ｗに対する雄バックル１２の装着位置が変わることがないようにしてある。（図１２）すなわち、図示の例にあっては、かかる雄バックル１２が帯状体Ｗの留め付け部１１を有している。
【００４４】
そして、図示の例にあっては、かかる雌バックル１３における筒一端側において、この雌バックル１３の幅広の側面部に、前記雌部分３が形成されている。図示の例にあっては、かかる雌部分３は、導入溝３４をこの雌バックル１３の筒一端縁に向けるように形成されている。雄部分４の頭部４０の入れ込み空間３１は、天板体３５と雌部分３の幅広の側面部との間に形成されている。すなわち、図示の例では、雌部分３は、雌バックル１３の外面に形成された隆起部状をなすように構成されている。また、図示の例にあっては、前記入れ込み空間３１を形成する雌バックル１３の幅広の側面部に、この雌バックル１３の筒一端において外方に開放されて、導入溝３４の直下においてこの導入溝３４に沿って延びる割溝１３２が形成されており、雌部分３の導入溝３４に雄部分４の首部４１を入れ込むにあたって、この割溝１３２によって導入溝３４が弾性的に広がり易いようになっている。
【００４５】
これにより、この実施の形態にあっては、雄バックル１２と雌バックル１３とを連結させ合うことにより、雄バックル１２に接続された帯状体Ｗと雌バックル１３に接続された帯状体Ｗとを連結させ合わせることができると共に、このように雄バックル１２に連結された雌バックル１３に保持部材２を介して長さを持った物品を適切に保持させることができ、かつ、このように保持された長さを持った物品の使用のための向きの変更を保持部材２の回動により自由度高く許容させることができる。
【００４６】
また、図２２ないし図２４に示される例にあっては、バックル主体１が、中間クロスバー１４１の両側に二カ所の帯状体Ｗの通し部１０、１０を備えてなる帯状体Ｗの留め付け部１１を有している。
【００４７】
図示の例にあっては、枠状部１４における向き合った一対の側部間に、中間クロスバー１４１を架け渡し状に設けさせて、この枠状部１４内に二カ所の通し部１０、１０を形成させている。そして、エンドクロスバーの一方１４２（中間クロスバー１４１に略平行をなす枠状部１４の端部の一方）に帯状体Ｗの一方を掛け回して接続させると共に、この中間クロスバー１４１に、帯状体Ｗの他方をバックル主体１の裏面側からこの中間クロスバー１４１に掛け回して雄バックル１２の表側に引き出した後、この引き出し部をこの中間クロスバー１４１に略平行をなす枠状部１４の端部の他方、つまり、他方のエンドクロスバー１４３の裏面を通して再びバックル主体１の側方に引き出すことにより、この他方の帯状体Ｗにテンションが作用される限り、この中間クロスバー１４１と他方のエンドクロスバー１４３との間にある通し部１０に面したこの中間クロスバー１４１の一部と他方のエンドクロスバー１４３の一部とがこの帯状体Ｗに対して強く突き立てられて、この他方の帯状体Ｗに対するバックル主体１の装着位置が変わることがないようにしてある。すなわち、図示の例にあっては、かかるバックル主体１の中間クロスバー１４１とこれに隣り合う他方のエンドクロスバー１４３によって帯状体Ｗの留め付け部１１を構成させている。また、図示の例にあっては、前記他方のエンドクロスバー１４３の表面側の端部から側方に張り出す張り出し部１４４が形成されており、この張り出し部１４４の上面に前記雌部分３を形成させている。
【００４８】
これにより、この実施の形態にあっては、バックル主体１を介して連結される帯状体Ｗの少なくとも一方に対するバックルの装着位置を、このバックル主体１の留め付け部１１によって、変更可能とした状態で、この帯状体Ｗの一方をバックル主体１を介して他の帯状体Ｗと連結させ合わせることができると共に、このバックル主体１に保持部材２を介して長さを持った物品を適切に保持させることができ、かつ、このように保持された長さを持った物品の使用のための向きの変更を保持部材２の回動により自由度高く許容させることができる。
【００４９】
また、図２５は、保持部材２を、紐端に各種の物品の留め付け部２８ａを備えた紐２８を、引き出し可能で、かつ、巻き取り可能に納めるリール体（図示は省略する。）を内蔵したケース体２９によって構成させた例を示している。かかるケース体２９は、このケース体２９内から紐２８を引き出すことによりリール体を正転させるようにリール体を回転可能に納めていると共に、このケース体内にはこのリール体の正転によりこのリール体を逆転させる向きの付勢力を蓄えるうず巻きバネなどの蓄勢手段が内蔵されている。紐２８の引き出し操作を止めれば、この逆転付勢により、引き出された紐２８はケース体２９内に巻き戻し状に引き込まれる。そして、図示の例にあっては、このケース体２９の一面に、雄部分４を形成させている。このケース体２９の雄部分４をバックル主体１の雌部分３に組み合わせてバックルを構成させる。ケース体２９、つまり、紐２８の保持部材２は、紐２８の引き出しにより、この紐２８を最も引き出し易い向きに回動されることになる。
【図面の簡単な説明】
【００５０】
【図１】保持部材２の一例を示した斜視図
【図２】同左側面図
【図３】同平面図
【図４】同正面図
【図５】同底面図
【図６】同右側面図
【図７】図２におけるＡ−Ａ線断面図
【図８】保持部材２の他の一例を示した斜視図（イ図）及びイ図の下側を上にしてこの保持部材２の他の一例を示した斜視図（ロ図）
【図９】保持部材２のさらに他の一例を示した斜視図（イ図）及びイ図の下側を上にしてこの保持部材２のさらに他の一例を示した斜視図（ロ図）
【図１０】バックル主体１の一例を示した斜視図
【図１１】バックル主体１の他の一例を示した正面図
【図１２】図１１におけるＢ−Ｂ線位置での使用状態を示した断面図
【図１３】バックル主体１の他の一例を示した要部破断背面図
【図１４】雌バックル１３の斜視図
【図１５】保持部材２を組み合わせた状態の雌バックル１３の正面図
【図１６】同平面図
【図１７】同右側面図
【図１８】同底面図
【図１９】図１５におけるＣ−Ｃ線断面図
【図２０】保持部材２を組み合わせた状態の雌バックル１３の斜視図
【図２１】保持部材２の回動状態を理解しやすいように保持部材２の要部を断面にし、かつ、回動後の様子を想像線で表した説明図
【図２２】バックル主体１のさらに他の一例を示した斜視図
【図２３】同図２２と逆向きからそのバックル主体１を視て表した斜視図
【図２４】同使用状態を示した断面図
【図２５】保持部材２のさらに他の一例を示した斜視図（イ図）及びイ図の下側を上にしてこの保持部材２のさらに他の一例を示した斜視図（ロ図）
【符号の説明】
【００５１】
１  バックル主体
２  保持部材
【図１】
2006026207.tif 000003
【図２】
2006026207.tif 000004
【図３】
2006026207.tif 000005
【図４】
2006026207.tif 000006
【図５】
2006026207.tif 000007
【図６】
2006026207.tif 000008
【図７】
2006026207.tif 000009
【図８】
2006026207.tif 000010
【図９】
2006026207.tif 000011
【図１０】
2006026207.tif 000012
【図１１】
2006026207.tif 000013
【図１２】
2006026207.tif 000014
【図１３】
2006026207.tif 000015
【図１４】
2006026207.tif 000016
【図１５】
2006026207.tif 000017
【図１６】
2006026207.tif 000018
【図１７】
2006026207.tif 000019
【図１８】
2006026207.tif 000020
【図１９】
2006026207.tif 000021
【図２０】
2006026207.tif 000022
【図２１】
2006026207.tif 000023
【図２２】
2006026207.tif 000024
【図２３】
2006026207.tif 000025
【図２４】
2006026207.tif 000026
【図２５】
2006026207.tif 000027